(57)【要約】【課題】  システム全体の信号対雑音比の性能を確保する制御が可能な、異音を発生させることなく制御を行えるようにすることのできるボリューム制御システムを提供する。【解決手段】  デジタル信号を処理する信号処理部２０２と、信号処理部２０２により処理された後ＤＡＣ部２０３によりアナログ変換されたアナログ信号のレベルを制御する電子ボリューム２０４とを備えているボリューム調整システムにおいて、信号処理部２０２において生成された低域信号を復調する復調回路２１８を備えている。【選択図】図１
2013197795.tif 000002
【特許請求の範囲】
【請求項１】
デジタル信号を処理する信号処理部と、当該信号処理部により処理された後アナログ変換されたアナログ信号のレベルを制御する電子ボリュームとを備えているボリューム調整システムにおいて、
前記信号処理部において生成された低域信号を復調する復調回路を備えていることを特徴とするボリューム調整システム。
【請求項２】
前記電子ボリュームの出力と前記復調回路の出力を合成するミックス回路を備えていることを特徴とする請求項１に記載のボリューム調整システム。
【請求項３】
前記信号処理部は、
音響処理部と、
前記音響処理部から出力されたデジタル信号を高域信号と低域信号とに分離する音声信号分離手段と、
前記低域成分のみのレベルを調整し変調して出力するレベル変換器と、
前記レベル変換器により出力された低域信号を変調する振幅変調器と、
前記高域信号と振幅変調器により復調された低域信号とを合成する加算器と、
前記音響処理部の出力と、前記加算器からの出力とを切り替える切替器とを備えており、
前記復調回路は、前記振幅変調器により変調された低域信号を復調するものであることを特徴とする請求項２に記載のボリューム調整システム。
【請求項４】
ボリューム調整システムがボリュームを変化させる制御を行うとき、
前記レベル変換器が低域成分を減衰し、
前記電子ボリュームが高域成分を減衰することを特徴とする請求項３に記載のボリューム調整システム。
【請求項５】
前記レベル変換器の減衰量と、前記電子ボリュームの減衰量とが同じであることを特徴とする請求項４に記載のボリューム調整システム。
【発明の詳細な説明】
【技術分野】
【０００１】
本発明はデジタルシグナルプロセッサ（以降ＤＳＰとする）と電子ボリュームなどのデジタル制御のボリュームを使用したボリューム制御システムに関するものである。
【背景技術】
【０００２】
ボリューム制御システムにおいて、ＤＳＰ処理に起因するダイナミックレンジが限定され、Ｓ／Ｎ比が劣化する問題の解消を目的として、ＤＳＰ内部に、ＡＤＣよりディジタル化されたオーディオ信号を入力とする減衰器を介して信号処理するＤＳＰ演算部を直列に設け、ＤＳＰ処理部とし、前記ＤＳＰ処理部の出力をディジタルアナログ変換するＤＡＣ及び前記減衰器で減衰される信号レベルを補正増幅するゲインアンプを直列に配し、前記減衰器，ＤＳＰ演算部及びゲインアンプを制御するマイクロコンピュータから構成されているオーディオ信号処理装置がある（例えば、特許文献１）。
【０００３】
また、ユーザが音声の音量の変更を指示した場合、電子ボリュームによる音量レベルの変更に際し、電子ボリュームのスイッチングノイズが発生し、これによるポップ音がスピーカから放音される問題の解消を目的として、音声信号が流れる音声信号ラインに接続され、前記音声信号に処理を施す電子機器と、前記電子機器の処理によって発生し、前記音声信号に付加されるノイズの信号が有する波形と逆位相の波形を有する逆位相信号を生成し、生成した前記逆位相信号を前記ノイズの信号と混合するノイズ除去手段と、を備える音響装置がある（例えば、特許文献２）。
【先行技術文献】
【特許文献】
【０００４】
【特許文献１】特許第２６８４６７１号公報
【特許文献２】特開２０１０−１２４３４５号公報
【発明の概要】
【発明が解決しようとする課題】
【０００５】
しかしながら、上記従来のボリューム制御システム及び音響装置ではボリューム切替時の異音を小さくする為に、ＤＡＣ部でアナログ信号に変換された時に信号を本来、さらに大きくできるところを小さくしてしまっている。この為、ボリューム制御システムのＳ／Ｎが悪くなるという問題があった。
本発明はこのような従来の問題を解決するものであり、ボリューム切替時の異音を抑えて、Ｓ／Ｎ性能を悪化させないボリューム制御システムを提供することを目的とするものである。
【課題を解決するための手段】
【０００６】
本発明は上記目的を達成するために、デジタル信号を処理する信号処理部と、当該信号処理部により処理された後アナログ変換されたアナログ信号のレベルを制御する電子ボリュームとを備えているボリューム調整システムにおいて、前記信号処理部において生成された低域信号を復調する復調回路を備えているものである。
【発明の効果】
【０００７】
本発明によれば、ボリューム制御システム全体の減衰量を変える時に異音が目立つ音声の低域成分に対して異音を発生させないよう減衰量が変えられるので、ボリューム切替時の異音を押さえ、Ｓ／Ｎ性能を悪化させない効果を有する。
【図面の簡単な説明】
【０００８】
【図１】本発明の実施例におけるボリューム調整システムのブロック図
【図２】図２に示す信号処理部の内部のブロック図
【図３】本発明の実施例におけるタイミングチャート
【図４】本発明に関連するボリューム制御システムの構成を示すブロック図
【図５】図４に示す信号処理部の内部のブロック図
【発明を実施するための形態】
【０００９】
本発明の実施例を説明するために、まず、本発明に関連するボリューム制御システムの構成について、以下に説明する。
【００１０】
図４は、本発明に関連するボリューム制御システムの構成を示すブロック図である。図４において１００は信号元（例えはＣＤプレーヤやメモリーオーディオプレーヤ）であり、１０１はアナログ信号をデジタル信号に変換するアナログデジタルコンバータ（以降ＡＤＣとする）部であり、１０２は音響信号処理やレベル制御を行う信号処理部（例えばＤＳＰなど）であり、１０３はデジタル信号をアナログ信号に変換するアナログデジタルコンバータ（以降ＤＡＣとする）部であり、１０４はＤＡＣ部１０３で変換されたアナログ信号のレベルを制御する電子ボリューム（又は電子ボリューム相当のもの）であり、１０５は増幅器であり、１０６はスピーカであり、１０７は信号処理部１０２のレベル制御を行う制御信号１０９や電子ボリューム１０４のボリューム制御を行う制御信号１１０を制御する制御部（例えばマイコンなど）であり、１０８はボリューム切替操作部（例えばボリュームつまみなど）である。
【００１１】
図５は図４の信号処理部１０２の内部ブロック図である。図５において、１１１はスムージング機能のついている乗算器であり、１１２は音響信号処理部（例えばラウドネス処理などを行う）であり、１１３は図４のＡＤＣ部１０１より入力される音声信号入力部であり、１１４は図４の制御部１０７より入力される制御信号１０９の入力部であり、１１５は音響信号処理部１１２で処理された音声信号を出力する音声信号出力部である。
【００１２】
次に図４に示したボリューム制御システムの動作について説明する。図４において、プレーヤ１００からの音声信号は、ＡＤＣ部１０１でデジタル信号に変換される。このデジタル信号が信号処理部１０２に入力される。信号処理部１０２では、図５に示すように、音声信号入力部１１３より入力されたデジタル信号が、乗算器１１１において、入力部１１４を介して入力された制御部１０７からの制御信号１０９により、そのレベルを下げられる。レベルが下げられたデジタル信号は、音響信号処理部１１２にてラウドネス処理などが行われた後、音声信号出力部１１５から出力される。このようにして、プレーヤ１００からの音声信号は、デジタル信号として信号処理部１０２から出力される。
【００１３】
図４に示したボリューム制御システムのＤＡＣ部１０３にて、図５に示した信号処理部１０２の音声信号出力１１５から出力されたデジタル信号がアナログ信号に変換される。そのアナログ信号は、電子ボリューム１０４にて、制御部１０７の制御によりボリュームを下げられた後、増幅器１０５によって増幅されてスピーカ１０６より音声として出力される。
【００１４】
また、信号処理部１０２の音響信号処理部１１２によってデジタル信号を増幅するような処理が行われる場合、オーバーフローを避ける為に乗算器１１１にてあらかじめ増幅する分を減衰させる。この時、ラウドネス機能のような、ボリュームによって増幅量が変わる処理の場合、最大増幅量に合わせて、乗算器１１１で減衰させる。このように乗算器１１１で減衰させると、ＤＡＣ部１０３でアナログ信号に変換された時に音声信号が小さくなり、信号対雑音比（以降Ｓ／Ｎとする）が悪くなってしまう。その為、各ボリューム値でのラウドネスの増幅量にあわせて、乗算器１１１の減衰量をボリュームに連動させて切り替える制御を行う。このような制御を行った場合のボリューム制御システム（以下、適宜、システムという。）全体のボリュームは以下の式（１）で表される。
すなわち、乗算器１１１の減衰量をＡとし、電子ボリューム１０４の減衰量をＢとすると、ボリューム制御システム全体の減衰量Ｃは
Ａ＋Ｂ＝Ｃ  …（１）
となる。
【００１５】
例えば、ラウドネス機能の増幅量をＬとし、システム全体の減衰量Ｃが０ｄＢ〜−５ｄＢまでの範囲では増幅量Ｌが０ｄＢであり、減衰量Ｃが−６ｄＢ〜−１３ｄＢまでの範囲では増幅量Ｌが３ｄＢであり、減衰量Ｃが−１４ｄＢ〜−２７ｄＢまでの範囲では増幅量Ｌが６ｄＢであり、減衰量Ｃが−２８ｄＢ〜−∞ｄＢまでの範囲では増幅量Ｌが１２ｄＢであった場合、レベル制御部１１１の減衰量Ａは増幅量Ｌの分だけ減衰させる必要がある。
【００１６】
この為、上記の例示では、減衰量Ａは、システム全体の減衰量Ｃが０ｄＢ〜−５ｄＢまでの範囲では減衰量Ａが０ｄＢであり、減衰量Ｃが−６ｄＢ〜−１３ｄＢまでの範囲では減衰量Ａが−３ｄＢであり、減衰量Ｃが−１４ｄＢ〜−２７ｄＢまでの範囲では減衰量Ａが−６ｄＢであり、減衰量Ｃが−２８ｄＢ〜−∞ｄＢまでの範囲では減衰量Ａが−１２ｄＢとなる。
【００１７】
乗算器１１１の減衰量Ａと、電子ボリューム１０４の減衰量Ｂと、ボリューム制御システム全体の減衰量Ｃとの間には、上記式（１）の関係があるから、式（１）より、減衰量Ｂが求まる。
【００１８】
乗算器１１１の減衰量Ａと、ラウドネス機能の増幅量Ｌと、電子ボリューム１０４の減衰量Ｂと、ボリューム制御システム全体の減衰量Ｃとの関係は、表１に示すものになる。
【表１】
2013197795.tif 000003
【００１９】
表１に示すように、システム全体の減衰量Ｃが例えば−５ｄＢから−６ｄＢに切り替わる時には、乗算器１１１の減衰量Ａは０ｄＢから−３ｄＢになり、電子ボリューム１０４の減衰量Ｂは−５ｄＢから−３ｄＢとなる。このとき、減衰量Ａおよび減衰量Ｂはそれぞれ大きく変化することになる。ここで、ボリューム切替操作は通常１００ｍｓｅｃ程度の短い時間で行わなくてはならない。この為、乗算器１１１の減衰量Ａの変位と電子ボリューム１０４の減衰量Ｂの変位のズレが異音となってしまう。
【００２０】
上述した−５ｄＢから−６ｄＢに切り替わる時の他にも、システム全体の減衰量Ｃが−１３ｄＢから−１４ｄＢに変わる時と、−２７ｄＢから−２８ｄＢに変わる時でも同様の異音が発生する。
そこで、異音が発生する前記切り替わり部分で減衰量Ａと減衰量Ｂの変位が小さくなるように、以下の法則に従い減衰量Ａを決めるという構成を採用することができる。
【００２１】
増幅量Ｌの変位量ΔＬとした場合、増幅量Ｌの変位が起こった減衰量Ｃより２（ΔＬ−ｎ）（ｄＢ）分小さい減衰量Ｃの時と、２（ΔＬ−ｎ）−１（ｄＢ）分小さい減衰量Ｃの時に、そのボリューム時に必要な減衰量に対し、減衰量ＡをさらにΔＬ−（ΔＬ−ｎ）（ｄＢ）分減衰させる。ｎ（１以上の整数）がΔＬと同じになるまで、上述した方法と同様に計算を行い減衰量Ａを求める。
【００２２】
例えば、表１に示したように、システム全体のボリュームが−２７ｄＢから−２８ｄＢになる時の増幅量Ｌの変位量ΔＬは６ｄＢであるので、ｎ＝１の時、２（ΔＬ−ｎ）＝２（６−１）＝１０と、２（ΔＬ−ｎ）−１＝２（６−１）−１＝９となる。そこで、減衰量Ｃ＝−２８＋１０＝−１８（ｄＢ）の減衰量Ａと、減衰量Ｃ＝−２８＋９＝−１９（ｄＢ）の減衰量Ａに対して、各ΔＬ−（ΔＬ−ｎ）＝６−（６−１）＝１（ｄＢ）減衰させる。減衰量Ｃが−１８（ｄＢ）と−１９（ｄＢ）の時の減衰量Ａは−６ｄＢなので、それぞれ−１ｄＢして新たな減衰量Ａを−７ｄＢと決める。
同様にｎ＝２の時は、減衰量Ｃが−２０（ｄＢ）と−２１（ｄＢ）のときの新たな減衰量Ａを−８ｄＢと決める。
上述した法則に従った計算を、さらにｎ＝ΔＬになるまで繰り返し、新たな減衰量Ａを決定する。
【００２３】
この様に決めた減衰量Ａから式（１）の関係式より、減衰量Ｂが求まる。
上述した法則に従った計算により、新たな減衰量Ａと新たな減衰量Ｂとを決定することができる。上述した計算により得られた減衰量Ａと減衰量Ｂとは、表２に示すものになる。表２に示されているように、上述した計算により減衰量Ａと減衰量Ｂの変位を小さくすることができ、異音の大きさが小さくなる。
【表２】
2013197795.tif 000004
【００２４】
このように上記のボリューム制御システムを用いることで、ボリューム切替時の異音を抑えつつ、ＤＡＣ部１０３でアナログ信号に変換された時に信号を大きくすることができるから、Ｓ／Ｎ性能を損なわないシステムが実現できる。
しかしながら、上記のボリューム制御システムではボリューム切替時の異音を小さくする為に、ＤＡＣ部１０３でアナログ信号に変換された時に信号を本来、さらに大きくできるところを小さくしてしまっている。例えば、上述したボリューム制御システムについて示した動作において、システム全体の減衰量が−２７ｄＢの時は乗算器１１１の減衰量Ａは本来−６ｄＢで良い所を異音の発生を抑える為に−１１ｄＢにしている（表１および表２参照）。この為、乗算器１１１の減衰量ＡのＳ／Ｎが５ｄＢも悪くなるという問題がある。
【００２５】
発明者は、上記の問題点に着目し、ボリューム切替時の異音を抑えるとともにＳ／Ｎ性能を悪化させない本発明のボリューム制御システムに想到するに至った。
【実施例】
【００２６】
図１と図２は本発明の実施例の構成を示すブロック図である。
図１において、２００は信号元（例えはＣＤプレーヤやメモリーオーディオプレーヤ）であり、２０１はアナログ信号をデジタル信号に変換するアナログデジタルコンバータ（以降ＡＤＣとする）部であり、２０２は音響信号処理やレベル制御を行う信号処理部（例えばＤＳＰなど）であり、２０３はデジタル信号をアナログ信号に変換するデジタルアナログコンバータ（以降ＤＡＣとする）部であり、２０４はＤＡＣ部２０３で変換されたアナログ信号のレベルを制御する電子ボリューム（又は電子ボリューム相当のもの）であり、２１７は変調された信号（搬送波）を選択する為のバンドパスフィルタ（例えばセンター周波数は２２．５ｋＨｚなど）であり、２１８はバンドパスフィルタ２１７で選択した信号に変調されている信号を復調する復調回路であり、２１６は復調された信号と電子ボリューム２０４の出力信号を合成するミックス回路であり、２０５は増幅器であり、２０６はスピーカであり、２０７は信号処理部２０２のレベル制御を行う制御信号２０９と制御信号２３２や電子ボリューム２０４のボリューム制御を行う制御信号２１０や変調信号を含む音声とそうでない音声を切替えるための制御信号２３０を制御する制御部（例えばマイコンなど）であり、２０８はボリューム切替操作部（例えばボリュームつまみなど）である。
【００２７】
図２は図１の信号処理部２０２の内部ブロック図である。図２において、２１１はスムージング機能のついている乗算器であり、２１２は音響信号処理部（例えばラウドネス処理などを行う）であり、２２０は搬送波を付加する為に音声信号の高域成分を減衰させるローパスフィルタ（例えばカットオフ周波数は１０ｋＨｚにする）であり、２２１は音声信号の高域成分を取り出す為のハイパスフィルタ（例えばカットオフ周波数は５００Ｈｚにする）であり、２２４は音声信号の低域成分を取り出す為のローパスフィルタ（例えばカットオフ周波数は５００Ｈｚにする）であり、２２３は低域成分だけに対して行うスムージング機能がついているレベル変換器（乗算器）であり、２２８は振幅変調を行う為の搬送波を生成する発信機（例えば発振周波数は２２．５ｋＨｚとする）であり、２２５は低域信号を発信機２２８で生成した搬送波に変調させる振幅変調器であり、２２２はハイパスフィルタ２２１で取り出した高域成分と振幅変調器２２５で変調した低域成分を合成する加算器であり、２１９はローパスフィルタ２２０〜加算器２２２までの処理を行った信号と行っていない信号を切替える切替器であり、２１３は図１のＡＤＣ部２０１より入力される音声信号入力部であり、２１４は図１の制御部２０７より入力される制御信号２０９の入力部であり、２３１は図１の制御部２０７より入力される制御信号２３２の入力部であり、２２９は図１の制御部２０７より入力される制御信号２３０の入力部であり、２１５は音響信号処理部２１２で処理された音声信号の出力部である。
【００２８】
次に上記の実施例の動作について、図３の本発明の実施例におけるタイミングチャートを参酌しつつ説明する。
【００２９】
まず、図１のボリューム切替操作部２０８より入力が無い状態の動作（図３のステップ１）について説明する。この状態において、信号元２００のプレーヤからの音声信号は、ＡＤＣ部２０１でデジタル信号に変換される。このデジタル信号が、信号処理部２０２に入力される。信号処理部２０２では、図２に示すように、音声信号入力部２１３より入力されたデジタル信号が、乗算器２１１において、入力部２１４を介して入力された制御部２０７からの制御信号２０９により、そのレベルを下げられる。レベルが下げられたデジタル信号は、音響信号処理部２１２にてラウドネス処理などが行われる。
【００３０】
このラウドネス処理の時、切替器２１９は、図１の制御部２０７から制御信号２３０が送られ、音響信号処理部２１２からの出力を選択する方（図２のＡ）に切り替わっている。この為、音響信号処理部２１２からの信号が、出力部２１５からデジタル信号として出力される。そして、図１のＤＡＣ部２０３にて、図２の出力部２１５から出力されたデジタル信号をアナログ信号に変換する。そのアナログ信号は、図１の電子ボリューム２０４にてボリュームを下げられ、ミックス回路２１６を通り、増幅器２０５によって増幅された後、スピーカ２０６より音声として出力される。
【００３１】
また、この時、図２の乗算器２２３は、制御部２０７から出力された制御信号２３２により、図１の電子ボリューム２０４と同じ減衰量に制御されている。また、図２のローパスフィルタ２２０とハイパスフィルタ２２１とローパスフィルタ２２４と発信機２２８と振幅変調器２２５と加算器２２２は、動作している状態でも停止している状態でも良い。
【００３２】
つづいて、システム全体のボリュームを下げる時の動作（図３のステップ２〜５）について説明する。この時は、図１のボリューム切替操作部２０８より、ボリュームを下げるという入力が図１の制御部２０７に入力される。そして、制御部２０７は、制御信号２３２により図２の乗算器２２３を図１の電子ボリューム２０４と同じ減衰量になるよう制御する（図３のステップ２）。この時、図２のローパスフィルタ２２０とハイパスフィルタ２２１とローパスフィルタ２２４と発信機２２８と振幅変調器２２５と加算器２２２が動作停止状態であった場合、制御信号２３２か又はそれに類する制御信号でこれらを動作状態にする。
【００３３】
次に、図２の切替器２１９へ、加算器２２２からの出力を選択するよう（図２のＢ）、制御部２０７より制御信号２３０を送る（図３のステップ３）。この時、音響信号処理部２１２からの出力信号は、ローパスフィルタ２２０で高域成分（例えば１０ｋＨｚ以上）が減衰された信号にされ、ハイパスフィルタ２２１で低域成分（例えば５００Ｈｚ以下）が減衰された信号と、乗算器２２３で減衰され、ローパスフィルタ２２４で高域成分（例えば５００Ｈｚ以上）が減衰された信号とに分けられる。これらハイパスフィルタ２２１およびローパスフィルタ２２４が音声信号分離手段の役割を果たす。
【００３４】
ハイパスフィルタ２２１からの出力信号は、ローパスフィルタ２２４からの出力信号により発信機２２８（例えば２２．５ｋＨｚ）からの信号を振幅変調器２２５において変調した信号と、加算器２２２で加算されてから、切替器２１９へ入力されている。
【００３５】
切替器２１９からの出力は、出力部２１５から出力される。この出力は、図１に示すようにＤＡＣ部２０３でアナログ信号に変換され、電子ボリューム２０４とバンドパスフィルタ２１７へ入力される。
バンドパスフィルタ２１７は、振幅変調器２２５（図２参照）で生成した信号を選択し抜き出している。バンドパスフィルタ２１７の出力信号は、復調回路２１８にて復調され、ローパスフィルタ２２４（図２参照）の出力をアナログ信号に変換した信号と同等の信号になる。
【００３６】
電子ボリューム２０４からの出力と、復調回路２１８からの出力とはミックス回路２１６で合成されて、増幅器２０５で増幅された後に、スピーカ２０６から出力される。
ここでの動作におけるポイントは、低域成分（例えば５００Ｈｚ以下）が電子ボリューム２０４で減衰されずに乗算器２２３で減衰されている点である。ミックス回路２１６で合成された音声信号は、ボリュームを下げるという入力が図１の制御部２０７に入る前と聴感上ほぼ同じ信号となる。
【００３７】
次に、制御信号２３２で乗算器２２３の減衰量を下げ、同時に制御信号２１０で電子ボリューム２０４の減衰量も下げる（図３のステップ４）。この時、低域信号（例えば５００Ｈｚ以下）は乗算器２２３で減衰される。
ここでの動作におけるポイントは、聴感上異音にならない高域成分（例えば５００Ｈｚ以上）が電子ボリューム２０４で減衰されることである。聴感上異音が目立つ低域成分（例えば５００Ｈｚ以下）は、スムージング機能のついた乗算器２２３で減衰されるので、異音にならない。
【００３８】
さらに、上述したように、ミックス回路２１６からの出力は、高域成分（例えば５００Ｈｚ以上）が電子ボリューム２０４で減衰された信号、低域成分（例えば５００Ｈｚ以下）が乗算器２２３で減衰された信号が合成される。これにより、低域から高域までおよそ均一な信号になるので、聴感上違和感は発生しない。
【００３９】
次に乗算器２２３のスムージング処理が十分に完了し、且つ、電子ボリューム２０４の減衰量の変位が十分に安定した後に、図２の切替器２１９へ、音響信号処理部２１２からの出力を選択するよう制御部２０７から制御信号（２３０）を送る（図３のステップ５）。この時、制御信号２３２か又はそれに類する制御信号で図２のローパスフィルタ２２０とハイパスフィルタ２２１とローパスフィルタ２２４と発信機２２８と振幅変調器２２５と加算器２２２を動作停止状態にしても良い。
【００４０】
以上の一連の動作が完了すると、切替操作部２０８より、ボリュームを下げるという入力後、システム全体のボリュームを下げる時の動作が完了し、切替操作部２０８より入力が無い状態となる。また、システム全体のボリュームを上げる時の動作は、上記動作の中で、減衰を行っている乗算器２１１と乗算器２２３と電子ボリューム２０４の動作を増加させた場合となる。
この実施例によると、図４に示したシステムのレベル制御部１１１に相当する乗算器２１１の減衰量Ａと、図４に示したシステムの電子ボリューム１０４に相当する電子ボリューム２０４の減衰量Ｂの変位量を小さくしなくても、ボリューム切替時の異音を小さくすることができる。この為、ＤＡＣ部２０３では、図４に示したシステムより大きなアナログ信号で変換することができ、より全ボリュームでよりＳ／Ｎ性能を確保したボリューム制御システムとなる。
【００４１】
本発明は、上記実施例より明らかなように、ボリュームを制御する時に異音を発生させず、各ボリューム値でのラウドネスの増幅量にあわせて、乗算器２１１の減衰量をボリュームに連動させて切り替える制御を行え、乗算器２１１の減衰量をＡ、電子ボリューム１０４の減衰量をＢとした場合、本発明に関連するボリューム制御システムについて説明した上記表１で示した数値に基づいた制御を行うことができるので、システム全体のＳ／Ｎ性能を全ボリュームで最適にすることができる効果がある。
【産業上の利用可能性】
【００４２】
本発明は、ボリューム切替時の異音を抑えて、Ｓ／Ｎ性能を悪化させないボリューム制御システムとして用いることができる。
【符号の説明】
【００４３】
１００  信号元
１０１  アナログデジタルコンバータ
１０２  信号処理部
１０３  デジタルアナログコンバータ
１０４  電子ボリューム
１０５  増幅器
１０６  スピーカ
１０７  制御部
１０８  ボリューム切替操作部
１０９  制御信号
１１０  制御信号
１１１  乗算器
１１２  音響信号処理部
１１３  音声信号入力部
１１４  入力部
１１５  音声信号出力部
２００  信号元
２０１  アナログデジタルコンバータ
２０２  信号処理部
２０３  デジタルアナログコンバータ
２０４  電子ボリューム
２０５  増幅器
２０６  スピーカ
２０７  制御部
２０８  ボリューム切替操作部
２０９  制御信号
２１０  制御信号
２１１  乗算器
２１２  音響信号処理部
２１３  音声信号入力部
２１４  入力部
２１５  出力部
２１６  ミックス回路
２１７  バンドパスフィルタ
２１８  復調回路
２１９  切替器
２２０  ローパスフィルタ
２２１  ハイパスフィルタ（音声信号分離手段）
２２２  加算器
２２３  乗算器
２２４  ローパスフィルタ（音声信号分離手段）
２２５  振幅変調器
２２８  発信機
２２９  入力部
２３０  制御信号
２３１  入力部
２３２  制御信号
【図１】
2013197795.tif 000005
【図２】
2013197795.tif 000006
【図３】
2013197795.tif 000007
【図４】
2013197795.tif 000008
【図５】
2013197795.tif 000009